(57)【要約】【課題】ガス容器が傾斜したり転倒した場合、ガス容器からのガス放出または液化ガスの流出を防止できるガス放出防止機構付きガス容器バルブを提供する。【解決手段】ガス放出防止機構付きガス容器バルブ１は、流出口２と、ガス流入口３と、ガス容器に装着するためのガス容器装着部４と、ガス流出口２とガス流入口３とを連通するガス流路５とを有したガス容器バルブ本体６と、ガス容器装着部４の下部に取り付けられたガス放出防止機構７とを備えたガス放出防止機構付きガス容器バルブであって、ガス放出防止機構７は、球状弁体８と、球状弁体８を回動可能に保持する弁座９と、球状弁体８に垂下して取り付けられ球状弁体８と共に回動する錘体１０とを有し、ガス容器バルブ本体６の軸方向が鉛直方向に対して設定角度以上になると、ガス容器バルブ本体６のガス流入口３が球状弁体８により閉塞されるように構成されている。【選択図】図２
2009150526.tif 000002
【特許請求の範囲】
【請求項１】
外部ガス消費機器にガスを供給するためのガス流出口と、ガス容器よりガスが流入するガス流入口と、前記ガス容器に装着するためのガス容器装着部と、前記ガス流出口と前記ガス流入口とを連通するガス流路とを有したガス容器バルブ本体と、
前記ガス容器装着部の下部に取り付けられたガス放出防止機構とを備えたガス放出防止機構付きガス容器バルブであって、
前記ガス放出防止機構は、球状弁体と、該球状弁体を回動可能に保持する弁座と、前記球状弁体に垂下して取り付けられ該球状弁体と共に回動する錘体とを有し、前記球状弁体および前記錘体は、前記ガス容器バルブ本体のガス流入口と連通する貫通路を備え、
前記ガス容器バルブ本体の軸方向が鉛直方向に対して設定角度以上になると、前記ガス容器バルブ本体のガス流入口と前記貫通路との連通状態が解除され前記ガス流入口が前記球状弁体により閉塞されることを特徴とするガス放出防止機構付きガス容器バルブ。
【請求項２】
前記球状弁体と前記錘体は、前記貫通路を形成する管状体にて連結されている請求項１に記載のガス放出防止機構付きガス容器バルブ。
【請求項３】
前記錘体は、前記球状弁体より重く形成されている請求項１または２に記載のガス放出防止機構付きガス容器バルブ。
【請求項４】
前記ガス容器バルブ本体は、前記ガス流路と気密に区画されたガス流入室と、装着したガス容器内部と前記ガス流入室とを連通させる異常圧ガス流路とを有した安全弁を備えている請求項１ないし３のいずれかに記載のガス放出防止機構付きガス容器バルブ。
【発明の詳細な説明】
【技術分野】
【０００１】
本発明は、ＬＰガス、その他の高圧ガスを収容するガス容器にガスホースを接続し、外部ガス消費機器へのガス供給を制御するためのガス容器バルブに関する。より詳しくは、地震、その他の災害等によりガス容器が転倒又は傾斜した場合に、外部へのガス放出を防止することができるガス放出防止機構付きガス容器バルブに関する。
【背景技術】
【０００２】
可燃性ガスや支燃性ガスおよび毒性ガス等の高圧ガスを収容するガス容器は、地震、その他の災害等により衝撃を受けると、大量のガスを外部に放出するおそれがあり、火災や二次災害の要因となっている。
そのような事態を防止するものとして、従来より、ガス容器バルブと高圧ガスホースとの間に介在させるガス放出防止装置が種々使用されている。例えば、そのようなものとして、特開平１１−３５１４９９号公報の張力作動式ガス放出防止装置（張力式ガス放出防止装置）や実開平６−５１６５２号公報のガス栓用過流出防止弁（過流式ガス放出防止装置）などがある。
【０００３】
しかし、それらのガス放出防止装置は、ガス容器の外部に取り付けられるものであるため、ガス容器が傾斜したり転倒するような強い外部衝撃を受けた場合、ガス放出防止装置自体やガス容器バルブ自体または高圧ガスホース等が損傷を受けた際には有効に作動しないおそれがあった。
【特許文献１】特開平１１−３５１４９９号公報
【特許文献２】実開平６−５１６５２号公報
【発明の開示】
【発明が解決しようとする課題】
【０００４】
そこで、本発明の課題は、地震、その他の災害等によって高圧ガスを収容するガス容器が傾斜したり転倒するような強い外部衝撃を受けた場合、ガス容器外部に取り付けられたガス放出防止装置やガス容器バルブまたは高圧ガスホース等が損傷を受けても、ガス容器からのガス放出または液化ガスの流出を防止することができるガス放出防止機構付きガス容器バルブを提供することにある。
【課題を解決するための手段】
【０００５】
上記課題を解決するものは、外部ガス消費機器にガスを供給するためのガス流出口と、ガス容器よりガスが流入するガス流入口と、前記ガス容器に装着するためのガス容器装着部と、前記ガス流出口と前記ガス流入口とを連通するガス流路とを有したガス容器バルブ本体と、前記ガス容器装着部の下部に取り付けられたガス放出防止機構とを備えたガス放出防止機構付きガス容器バルブであって、前記ガス放出防止機構は、球状弁体と、該球状弁体を回動可能に保持する弁座と、前記球状弁体に垂下して取り付けられ該球状弁体と共に回動する錘体とを有し、前記球状弁体および前記錘体は、前記ガス容器バルブ本体のガス流入口と連通する貫通路を備え、前記ガス容器バルブ本体の軸方向が鉛直方向に対して設定角度以上になると、前記ガス容器バルブ本体のガス流入口と前記貫通路との連通状態が解除され前記ガス流入口が前記球状弁体により閉塞されることを特徴とするガス放出防止機構付きガス容器バルブである。
【０００６】
前記球状弁体と前記錘体は、前記貫通路を形成する管状体にて連結されていることが好ましい。前記錘体は、前記球状弁体より重く形成されていることが好ましい。前記ガス容器バルブ本体は、前記ガス流路と気密に区画されたガス流入室と、装着したガス容器内部と前記ガス流入室とを連通させる異常圧ガス流路とを有した安全弁を備えていることが好ましい。
【発明の効果】
【０００７】
請求項１に記載の発明によれば、地震、その他の災害等によって高圧ガスを収容するガス容器が傾斜したり転倒するような強い外部衝撃を受けた場合、ガス容器外部に取り付けられたガス放出防止装置やガス容器バルブまたは高圧ガスホース等が損傷を受けても、ガス容器からのガス放出および液化ガスの流出を防止することができる。
請求項２に記載の発明によれば、上記請求項１の効果を奏するガス放出防止機構付きガス容器バルブをより簡素な構造で作製できる。
請求項３に記載の発明によれば、回転モーメントが大きくなり、球状弁体によってガス流入口をより確実に閉塞できる。
請求項４に記載の発明によれば、球状弁体によってガス流入口が閉塞された状態でも安全弁を作動させることができる。
【発明を実施するための最良の形態】
【０００８】
本発明では、ガス容器が傾斜したり転倒するような強い外部衝撃を受けた場合、たとえ、ガス放出防止装置自体、ガス容器バルブ自体または高圧ガスホース等が損傷を受けても、ガス容器バルブ本体のガス流入口を球状弁体が閉塞することにより、ガス容器からのガス放出または液化ガスの流出を防止することができるガス放出防止機構付きガス容器バルブを実現した。
【実施例１】
【０００９】
図１は本発明のガス放出防止機構付きガス容器バルブの一実施例の縦断面概略図であり、図２は図１に示したガス放出防止機構付きガス容器バルブの作用を説明するための縦断面概略図である。
【００１０】
この実施例のガス放出防止機構付きガス容器バルブ１は、図１に示すように、外部ガス消費機器にガスを供給するためのガス流出口２と、ガス容器よりガスが流入するガス流入口３と、ガス容器に装着するためのガス容器装着部４と、ガス流出口２とガス流入口３とを連通するガス流路５とを有したガス容器バルブ本体６と、ガス容器装着部４の下部に取り付けられたガス放出防止機構７とを備えたガス放出防止機構付きガス容器バルブであって、ガス放出防止機構７は、球状弁体８と、球状弁体８を回動可能に保持する弁座９と、球状弁体８に垂下して取り付けられ球状弁体８と共に回動する錘体１０とを有し、球状弁体８および錘体１０は、ガス容器バルブ本体６のガス流入口２と連通する貫通路１１を備え、ガス容器バルブ本体６の軸方向が鉛直方向に対して設定角度以上になると、ガス容器バルブ本体６のガス流入口３と貫通路１１との連通状態が解除されガス流入口３が球状弁体８により閉塞されるものである。以下、各構成について順次詳述する。
【００１１】
このガス放出防止機構付きガス容器バルブ１は、ガスボンベなどのガス容器のバルブ装着部に取り付けられ、ガス容器からのガスの流出およびガスの封止を制御するものである。
【００１２】
ガス流出口２は、外部ガス消費機器にガスを供給するための開口部であり、この部位に高圧ガスホースが装着されて外部ガス消費機器へのガス供給が行われる。
【００１３】
ガス流入口３は、ガス容器内のガスをガス容器バルブ本体６内に流入させるための開口部であり、装着するガス容器の内部と連通可能な部位（後述するガス容器装着部４の下端面）に配されている。
【００１４】
ガス容器装着部４は、ガス容器にガス容器バルブ本体６を装着させるための部位であり、中空の筒状体４ａと筒状体４ａの外面に形成された螺合部４ｂとを有している。そして、この筒状体４ａをガス容器内に挿入し、螺合部４ｂと、ガス容器のバルブ装着部の内面に形成され螺合部とを係合させることにより、ガス容器バルブ本体６がガス容器に装着されるよう構成されている。
【００１５】
ガス流路５は、ガス流出口２とガス流入口３とを連通させるガスの流路であり、ガス流入口３から流入したガスがガス流出口２に至るように容器バルブ本体６内に形成されている。
【００１６】
このガス流路５の中途には、ハンドル１２の回転によりガス流路５を閉塞可能な弁板１３とこの弁板１３が当接する弁シート１４が設けられている。具体的には、ハンドル１２を右回りに回転させると、弁板１３が降下して弁シート１４に当接しガス流路５が閉塞され、装着したガス容器のガスがガス容器バルブ本体６内に流入不能となる。他方、ハンドル１２を左回りに回転させると、弁板１３が上昇して弁シート１４と離間しガス流路５内をガスが流通可能となる。なお、図１の状態は、後者の状態であり、ガス容器内のガスがガス流入口３から流入してガス流出口２へ移行し、外部ガス消費機器へカズを供給可能な状態となっている。そして、通常、ガス容器は、ガス供給が可能なこの状態で家庭等に配備されている。
【００１７】
また、ガス容器バルブ本体６は、安全弁１５を有している。この安全弁１５はガス流路５内に異常な圧力が発生した場合に、ガスを外部に放出するためのものであり、安全弁弁体１６と、安全弁シート１７と、安全弁弁体１６を安全弁シート１７側へ付勢するスプリング１８とを有している。そして、ガス流路５内に異常な圧力が発生した場合、安全弁弁体１６がその圧力によって外側に向かって押圧されスプリング１８の付勢力以上の圧力になると、安全弁弁体１６が安全弁シート１７より離間し、それらの間隙からガスが外部に放出されるように構成されている。
【００１８】
ガス放出防止機構７は、ガス容器が傾斜したり転倒するような強い外部衝撃を受けた場合、ガス容器の外部に取り付けられたガス放出防止装置やガス容器バルブまたは高圧ガスホース等が損傷を受けても、ガス容器からのガス放出および液化ガスの流出を防止するものである。
【００１９】
このガス放出防止機構７は、ガス容器バルブ本体６のガス容器装着部４の下部に取り付けられているため、ガス容器バルブ本体６をガス容器に装着するとガス容器内に位置し、強い外部衝撃を受けた場合でも損傷することがなく、ガス放出防止機能を発揮する。
【００２０】
ガス放出防止機構７は、球状弁体８と、球状弁体８を回動可能に保持する弁座９と、球状弁体８に垂下して取り付けられ球状弁体８と共に回動する錘体１０とを有しており、弁座９の上面がガス容器装着部４の下面に溶接されて取り付けられている。
【００２１】
具体的には、弁座９は内部に球状弁体８を上側から保持して落下させない半球面以上の球状面、換言すれば、球状弁体８の中心点を含む水平面より下方まで延在する球状面を備えており、この球状面が球状弁体８を捕捉していると共に、この球状面と球状弁体８の球面とが気密状態を保って摺動可能に構成されている。このように、弁座９は球状弁体８を回動可能に保持する機能と、ガス容器バルブ本体６にガス放出防止機構７を取り付ける機能とを兼務している。
【００２２】
球状弁体８と錘体１０は管状体１９を介して連結されており、球状弁体８の下方に錘体１０が垂下するように構成されている。管状体１９は貫通路１１を構成しており、球状弁体８および錘体１０は、平常時においては、この貫通路１１を介してガス容器バルブ本体６のガス流入口３と装着したガス容器内部とを連通させているため、ガス容器内のガスは貫通路１１を介してガス流路５に流入可能となっている。
【００２３】
他方、錘体１０はそれ自体にかかる重力により、球状弁体８を支点として、球状弁体８の下半球側、半径方向全方位に振幅可能であるため、ガス容器バルブ本体６が傾斜すると、図２に示すように、錘体１０および管状体１９は振幅した後、鉛直方向に延在する。このため、ガス容器バルブ本体６の軸方向が鉛直方向に対して設定角度以上になると、ガス容器バルブ本体６のガス流入口３と貫通路１１との連通状態が解除されガス流入口３が球状弁体８により閉塞される。
【００２４】
なお、錘体１０は球状弁体８に比して重いことが好ましく、また、管状体１９の長さもガス容器内で振幅可能な範囲内でより長く形成される方が、回転モーメントが大きくなり、球状弁体８によってガス流入口３をより確実に閉塞できる。また、前述した設定角度は、球状弁体の大きさ、ガス流入口や貫通路の径等により適宜設計変更可能であるが、好ましくは３０〜４５度である。さらに、ガス流入口の形状とガス流入口と連通する貫通路の横断面形状とは同一であることが好ましく、この実施例では、ガス流入口３の径と貫通路１１の径（管状体１９の内径）は同一に形成されている。さらに、この実施例のガス放出防止機構７は、溶接にてガス容器装着部の下面に固着させているが、これに限定されるものではなく、ガス容器装着部の筒状体内に挿入して固定するための挿入部を有するもの（例えばスリーブを筒状体内に嵌入するもの）、或いはこの挿入部が表面に螺合部を有し、ガス容器装着部の筒状体の内面に形成された螺合部と係合させて固定するものなども本発明の範疇に包含される。さらに、この実施例のガス放出防止機構７は、既存のガス容器バルブにも取り付け可能に構成されたものであるが、ガス容器装着部と弁座とが一体に形成されたものも本発明の範疇に包含される。
【００２５】
つぎに、図３に示した本発明のガス放出防止機構付きガス容器バルブ２０について説明する。
この実施例のガス放出防止機構付きガス容器バルブ２０と前述したガス放出防止機構付きガス容器バルブ１との基本的な相違は、ガス容器バルブ本体６が、ガス流路５と気密に区画されたガス流入室２１と、装着したガス容器内部とガス流入室２１とを連通させる異常圧ガス流路２２とを有した安全弁２３を備えている点のみであり、他は同じである。ガス放出防止機構付きガス容器バルブ１と同一構成部分については同一符号を付し説明を省略する。
【００２６】
具体的には、この実施例のガス放出防止機構付きガス容器バルブ２０は、ガス流路５と気密に区画されたガス流入室２１が、安全弁弁体１６に隣接して設けられており、装着したガス容器内部とガス流入室２１とを連通させる異常圧ガス流路２２がガス容器装着部４の筒状体４ａ内に設けられている。より具体的には、ガス容器装着部４の螺合部４ａは、筒状体４ａの下部付近には設けられておらず、筒状体４ａ内において縦断面Ｌ字型に形成された異常圧ガス流路２２は、螺合部４ａが形成されていない筒状体４ａの下部付近に開口するように形成されている。そして、球状弁体８によってガス流入口３が閉塞された状態においてガス容器内に異常ガス圧が発生しても、ガスが異常圧ガス流路２２の下部開口を経由してガス流入室２１内に流入し安全弁２３を作動させることができるように構成されている。
【産業上の利用可能性】
【００２７】
上記実施例はガスまたは液化ガスを収容するガス容器に装着する容器バルブに関するものであるが、液体のみを収容する容器バルブにも適用可能である。
【図面の簡単な説明】
【００２８】
【図１】本発明のガス放出防止機構付きガス容器バルブの一実施例の縦断面概略図である。
【図２】図１に示したガス放出防止機構付きガス容器バルブの作用を説明するための縦断面概略図である。
【図３】本発明のガス放出防止機構付きガス容器バルブの他の実施例の縦断面概略図である。
【符号の説明】
【００２９】
１    ガス放出防止機構付きガス容器バルブ
２    ガス流出口
３    ガス流入口
４    ガス容器装着部
４ａ  筒状体
４ｂ  螺合部
５    ガス流路
６    ガス容器バルブ本体
７    ガス放出防止機構
８    球状弁体
９    弁座
１０  錘体
１１  貫通路
１２  ハンドル
１３  弁板
１４  弁シート
１５  安全弁
１６  安全弁弁体
１７  安全弁シート
１８  スプリング
１９  管状体
２０  ガス放出防止機構付きガス容器バルブ
２１  ガス流入室
２２  異常圧ガス流路
２３  安全弁
【図１】
2009150526.tif 000003
【図２】
2009150526.tif 000004
【図３】
2009150526.tif 000005